(57)【要約】      （修正有）【課題】足の５本の爪先をそれぞれ被覆保護させ、隣同士の２本の爪先は個別に開けるようし、外観上足の５本の爪先の外形が露出しないため、美観を向上させる目的も達成させる靴下を提供する。【解決手段】靴下は、足部１０及び五本指カバー部２０を含む。五本指カバー部は足部の一端に設けられ、且つ人体の足の５本の爪先を被覆させるための５つの爪先カバー２１を有する。足部から延伸されてこれら爪先カバーを被覆させる被覆カバー２２を更に含む。【選択図】図３
0003212239.tif 000002
【実用新案登録請求の範囲】
【請求項１】
足部及び五本指カバー部を含み、前記五本指カバー部は前記足部の一端に設けられると共に人体の足の５本の爪先を被覆させるための５つの爪先カバーを有する靴下であって、
前記足部から延伸されて前記５つの爪先カバーを被覆させる被覆カバーを更に含むことを特徴とする、
靴下。
【請求項２】
各前記爪先カバーの末端は前記被覆カバーに連接されることを特徴とする、請求項１に記載の靴下。
【請求項３】
前記爪先カバーの末端及び前記被覆カバーは縫製方式により連接されることを特徴とする、請求項２に記載の靴下。
【請求項４】
前記爪先カバーの末端及び前記被覆カバーは裁縫方式により連接されることを特徴とする、請求項２に記載の靴下。
【考案の詳細な説明】
【技術分野】
【０００１】
本考案は、靴下に関し、より詳しくは、足の５本の爪先の外形が露出せず、美観を保つ五本指靴下に関する。
【背景技術】
【０００２】
図１及び図２に示されるように、一般的な靴下は主に足、５本の爪先及び脚を保護し、保温、脚や足の保護、美観を向上させるために用いられる。
現在市場で販売されている五本指靴下１は人体の足の５本の爪先２を別々に被覆して分離させ、隣り合う２本の爪先２の側辺同士が接触しないようにしている。特に足先を怪我していたり、水虫等の皮膚病があったり、足裏が汗で発疹を起こしやすい人の場合、保護及び分離作用を有するため、隣り合う２本の爪先２が相互に接触して痛みや不快感を引き起こしたり、皮膚病が感染するといった問題が効果的に回避される。
【考案の概要】
【考案が解決しようとする課題】
【０００３】
しかしながら、使用者が五本指靴下１を履く場合、外観上５本の爪先２の外形が露骨に露出される。特に五本指靴下１の多くは編まれた靴下であるため、相当な厚さを有し、外観がよくないため、多くの使用者は家の中でのみ靴下を履いている。
靴下を履いて外出し、他人の家の室内に入るために靴を脱ぐ際に、五本指靴下１を履いていると５本の爪先の外形が露出するため見栄えが悪い。特に成人にとっては、５本の爪先２の外形が完全に露出していることは非常に恥ずかしいことであった。
【０００４】
そこで、本考案者は上記の欠点が改善可能と考え、鋭意検討を重ねた結果、合理的設計で上記の課題を効果的に改善する本考案の提案に到った。
【課題を解決するための手段】
【０００５】
かかる従来の実情に鑑みて、本考案は、靴下を提供することを目的とする。
すなわち、五本指靴下が人体の足の５本の爪先をそれぞれ被覆させながらも外観が一般的な靴下の外形を呈し、使用者が履いた際に、五本指靴下が人体の足の５本の爪先をそれぞれ被覆させて分離させ、隣り合う２本の爪先の側辺の表面が接触しないようにする。
外観上一般的な靴下と同様に足全体を被覆させるようになり、足の５本の爪先の外形が露出せず、美観を向上させる目的を達成させる。
【０００６】
上述した課題を解決し、上記目的を達成するための本考案に係る靴下の特徴は、足部及び五本指カバー部を含み、前記五本指カバー部は前記足部の一端に設けられると共に人体の足の５本の爪先を被覆させるための５つの爪先カバーを有する。前記足部から延伸されて前記５つの爪先カバーを被覆させる被覆カバーを更に含む。
【０００７】
好ましくは、各前記爪先カバーの末端は前記被覆カバーに連接される。
【０００８】
好ましくは、前記爪先カバーの末端及び前記被覆カバーは縫製方式により連接される。
【０００９】
好ましくは、前記爪先カバーの末端及び前記被覆カバーは裁縫方式により連接される。
【考案の効果】
【００１０】
上述したように、本考案の被覆カバーは前記足部から延伸されて５本の爪先カバーの外側を被覆させる。これにより、使用者が履いた際に、５本の爪先カバーが足の５本の爪先をそれぞれ被覆させ、隣り合う２本の爪先をそれぞれ分離させ、保護及び分離作用を有する。足先を怪我している場合でも、隣り合う２本の爪先が接触して痛みや不快感を感じることが無くなり、皮膚に問題があっても感染を防止できる。
このほか、本考案の特徴として、５本の爪先カバーの外側を被覆させる被覆カバーは、外観上は一般的な靴下と同じく足全体を被覆させるため、これら前記爪先カバーが内側に隠れ、五本指靴下の５本の足先の外形が露出しないため、見栄えが悪くなるという問題が解決する。
【図面の簡単な説明】
【００１１】
【図１】従来の五本指靴下が脚に履かれる外観斜視の概略図である。
【図２Ａ】従来の五本指靴下が人の足部に合わせる平面の概略図である。
【図２Ｂ】従来の五本指靴下が人の足部に合わせる拡大図である。
【図３】本考案の第１実施形態による五本指靴下を示す外観斜視図である。
【図４Ａ】本考案の第１実施形態による五本指靴下を示す平面の概略図である。
【図４Ｂ】本考案の第１実施形態による五本指靴下を示す拡大図である。
【図５】本考案の第１実施形態による五本指靴下の横断面図である。
【図６】本考案の第２実施形態による五本指靴下の平面の概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１３】
（第１実施形態）
本考案の第１実施形態の構成を図３から図５に示す。本考案の靴下は、足部１０及び五本指カバー部２０を備える。前記足部１０の内部に人体の足が入れられた後、５本の爪先が前記五本指カバー部２０の位置に進入し、前記足部１０が人体の足を被覆させる。
本実施形態では図に示されるように一般的なショートソックスであり、前記足部１０が人体のふくらはぎの位置を被覆させる筒状部２４まで更に延伸され、前記五本指カバー部２０が前記足部１０の一端に設けられ、人体の足の５本の爪先を被覆させるための５つの爪先カバー２１を有する。本考案は被覆カバー２２を更に含み、前記被覆カバー２２は前記足部１０から延伸されると共にこれら前記爪先カバー２１の外部を被覆させる。本実施形態において、前記靴下は縫われた靴下である。
【００１４】
（第２実施形態）
図６は本考案の第２実施形態を示す。前述の第１実施形態とほぼ同じであり、本実施形態によれば、前記爪先カバー２１の末端は縫製方式で前記被覆カバー２２に縫い込まれて縫い目２３が形成される。当然ながら、前記爪先カバー２１の末端は裁縫方式で前記被覆カバー２２に連接されてもよい。
【００１５】
上述の構造により、靴下が主に足、５本の爪先及び脚を被覆させ、保温、保護、脚や足の修飾、及び美観を高めるために用いられる。一般的な五本指靴下のように人体の足の５本の爪先をそれぞれ被覆させて分離させ、隣り合う２本の爪先の側辺を接触させないようにする。
特に足先を怪我していたり、水虫等の皮膚病を患っていたり、足裏が汗により発疹を起こしやすい人にとっては、衛生的で、保護及び分離作用を有することにより、隣り合う２本の爪先同士が接触して痛みや不快感を覚えたり、皮膚病に感染する問題が効果的に回避される。
【００１６】
五本指靴下を履く場合、５本の爪先の外形が露出して見栄えが悪いため、通常は家の中でのみ五本指靴下を履くが、客が来た場合、礼儀や見栄えを鑑みると一般的な靴下に履き替えた方が良く、面倒である。
【００１７】
本考案は被覆カバー２２を有し、前記被覆カバー２２は前記足部１０から延伸されて５本の爪先カバー２１の外側を被覆させるため、使用者が履いた際に、５つの爪先カバー２１が足の５本の爪先をそれぞれ被覆させ、隣り合う２本の爪先をそれぞれ分離させる。このような保護及び分離作用を有し、足先を怪我している場合でも、隣り合う２本の爪先が互いに接触して痛みや不快感を感じることはなく、皮膚に問題があっても感染が防止される。
このほか、本考案は、５本の爪先カバー２１の外側を被覆させる被覆カバー２２が、外観が一般的な靴下と同じように足を被覆させ、これら前記爪先カバー２１が内側に隠される。これにより５本の爪先の外形が露出され、見栄えが悪くなるという問題を解決させる。
【００１８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１    五本指靴下
２    爪先
１０  足部
２０  五本指カバー部
２１  爪先カバー
２２  被覆カバー
２３  縫い目
２４  筒状部
【図１】
0003212239.tif 000003
【図２Ａ】
0003212239.tif 000004
【図２Ｂ】
0003212239.tif 000005
【図３】
0003212239.tif 000006
【図４Ａ】
0003212239.tif 000007
【図４Ｂ】
0003212239.tif 000008
【図５】
0003212239.tif 000009
【図６】
0003212239.tif 000010